(57)【要約】【課題】無線接続の権限を有しない者が不正に表示装置に無線接続するのを防止する。【解決手段】通信システムＣ１において、プロジェクター１は、無線接続における通信回線の切替指示の入力を受け付ける受付手段１１１と、切替指示の入力が受け付けられると、第１の通信回線により自装置と無線接続されたタブレット端末２に、第２の通信回線により無線接続するための無線接続情報を送信する送信手段１１２と、無線接続情報が送信されると、タブレット端末２との第１の通信回線による無線接続を切断する切断手段１１３とを有する。タブレット端末２は、第１の通信回線による無線接続が切断されると、無線接続情報を用いて、第２の通信回線によりプロジェクター１と無線接続する接続手段２１１を有する。タブレット端末３は、無線接続情報を用いて、第２の通信回線によりプロジェクター１と無線接続する接続手段３１１を有する。【選択図】図２
2015179935.tif 000002
【特許請求の範囲】
【請求項１】
表示装置と、前記表示装置と無線接続される第１の端末装置および第２の端末装置とを有し、
前記表示装置は、
前記無線接続における通信回線を切り替えるための指示の入力を受け付ける受付手段と、
前記入力が受け付けられると、第１の通信回線により自装置と無線接続された前記第１の端末装置に、前記第１の通信回線とは異なる第２の通信回線により無線接続するための第２接続情報を送信する送信手段と、
前記第２接続情報が送信されると、前記第１の端末装置との前記第１の通信回線による無線接続を切断する切断手段と
を有し、
前記第１の端末装置は、
前記第１の通信回線による無線接続が切断されると、前記第２接続情報を用いて、前記第２の通信回線により前記表示装置と無線接続する第１の接続手段
を有し、
前記第２の端末装置は、
前記第２接続情報を用いて、前記第２の通信回線により前記表示装置と無線接続する第２の接続手段
を有する通信システム。
【請求項２】
前記表示装置は、
エンコードされた前記第２接続情報を示すコード画像を表示画面に表示する表示手段
を有し、
前記第２の端末装置は、
前記コード画像が表示された表示画面を撮像する撮像手段と、
前記撮像手段により撮像された撮像画像から前記コード画像を抜き出してデコードするデコード手段と
を有し、
前記第２の接続手段は、前記デコード手段によりデコードされた前記第２接続情報を用いて前記表示装置と無線接続する
ことを特徴とする請求項１に記載の通信システム。
【請求項３】
前記第１の端末装置は、
前記第１の通信回線により前記表示装置と無線接続するための第１接続情報を記憶する記憶手段
を有することを特徴とする請求項１または２に記載の通信システム。
【請求項４】
前記第１の接続手段は、前記第２の通信回線による無線接続が切断されると、前記記憶手段に記憶された第１接続情報を用いて、前記第１の通信回線により前記表示装置と無線接続する
ことを特徴とする請求項３に記載の通信システム。
【請求項５】
前記第１の通信回線と前記第２の通信回線は、無線接続するための接続情報がそれぞれ異なる同じ通信回線である
ことを特徴とする請求項１ないし４のいずれか１項に記載の通信システム
【請求項６】
前記表示装置は、プロジェクターである
ことを特徴とする請求項１ないし５のいずれか一項に記載の通信システム。
【請求項７】
無線接続における通信回線を切り替えるための指示の入力を表示装置が受け付けるステップと、
前記入力が受け付けられると、第１の通信回線により前記表示装置と無線接続された第１の端末装置に、前記第１の通信回線とは異なる第２の通信回線により無線接続するための第２接続情報を前記表示装置が送信するステップと、
前記第２接続情報が送信されると、前記第１の端末装置との前記第１の通信回線による無線接続を前記表示装置が切断するステップと、
前記第１の通信回線による無線接続が切断されると、前記第１の端末装置が、前記第２接続情報を用いて、前記第２の通信回線により前記表示装置と無線接続するステップと、
第２の端末装置が、前記第２接続情報を用いて、前記第２の通信回線により前記表示装置と無線接続するステップと
を有する通信方法。
【請求項８】
無線接続における通信回線を切り替えるための指示の入力を受け付ける受付手段と、
前記入力が受け付けられると、第１の通信回線により自装置と無線接続された第１の端末装置に、前記第１の通信回線とは異なる第２の通信回線により無線接続するための第２接続情報を送信する送信手段と、
前記第２接続情報が送信されると、前記第１の端末装置との前記第１の通信回線による無線接続を切断する切断手段と、
前記第１の通信回線による無線接続が切断されると、前記第２の通信回線により前記第１の端末装置および第２の端末装置と無線接続する接続手段と
を有する表示装置。
【発明の詳細な説明】
【技術分野】
【０００１】
本発明は、通信システム、通信方法および表示装置に関する。
【背景技術】
【０００２】
電子機器の表示部に表示されたＱＲコード（登録商標）を他の電子機器が撮像して読み取ることにより、無線ＬＡＮの設定などの各種操作を容易に行えるようにする技術が知られている。特許文献１には、一の撮像装置が、他の撮像装置のディスプレイに表示されたＱＲコードを撮像してデコードし無線ＬＡＮの設定情報や撮影条件等の情報を読み出す技術が記載されている。
【先行技術文献】
【特許文献】
【０００３】
【特許文献１】特開２００８−０７７３８０号公報
【発明の概要】
【発明が解決しようとする課題】
【０００４】
表示装置と端末装置とが無線接続される通信システムにおいては、過去に無線接続したことのある端末装置には無線接続するための情報が記憶される。そのため、無線接続の権限を有しない者の端末装置であっても過去に表示装置に無線接続したことがあれば当該表示装置に再び無線接続できてしまうという問題があった。本発明は、表示装置と端末装置とが無線接続される通信システムにおいて、無線接続の権限を有しない者の端末装置が不正に無線接続するのを防止することを目的の一つとする。
【課題を解決するための手段】
【０００５】
上述の課題を解決するため、本発明は、表示装置と、前記表示装置と無線接続される第１の端末装置および第２の端末装置とを有し、前記表示装置は、前記無線接続における通信回線を切り替えるための指示の入力を受け付ける受付手段と、前記入力が受け付けられると、第１の通信回線により自装置と無線接続された前記第１の端末装置に、前記第１の通信回線とは異なる第２の通信回線により無線接続するための第２接続情報を送信する送信手段と、前記第２接続情報が送信されると、前記第１の端末装置との前記第１の通信回線による無線接続を切断する切断手段とを有し、前記第１の端末装置は、前記第１の通信回線による無線接続が切断されると、前記第２接続情報を用いて、前記第２の通信回線により前記表示装置と無線接続する第１の接続手段を有し、前記第２の端末装置は、前記第２接続情報を用いて、前記第２の通信回線により前記表示装置と無線接続する第２の接続手段を有する通信システムを提供する。この通信システムによれば、第２の端末装置が、第１の通信回線により不正に無線接続することが防止される。
【０００６】
別の好ましい態様において、前記表示装置は、前記表示装置は、エンコードされた前記第２接続情報を示すコード画像を表示画面に表示する表示手段を有し、前記第２の端末装置は、前記コード画像が表示された表示画面を撮像する撮像手段と、前記撮像手段により撮像された撮像画像から前記コード画像を抜き出してデコードするデコード手段とを有し、前記第２の接続手段は、前記デコード手段によりデコードされた前記第２接続情報を用いて前記表示装置と無線接続することを特徴とする。この通信システムによれば、第２接続情報を手入力する操作をユーザーが行わなくても、表示装置と第２の端末装置とが無線接続される。
【０００７】
別の好ましい態様において、前記第１の端末装置は、前記第１の通信回線により前記表示装置と無線接続するための第１接続情報を記憶する記憶手段を有することを特徴とする。この通信システムによれば、第１接続情報を入力する操作をユーザーが行わなくても、表示装置と第１の端末装置とが無線接続される。
【０００８】
別の好ましい態様において、前記第１の接続手段は、前記第２の通信回線による無線接続が切断されると、前記記憶手段に記憶された第１接続情報を用いて、前記第１の通信回線により前記表示装置と無線接続することを特徴とする。この通信システムによれば、第２の通信回線による無線接続が切断されたときに、無線接続するための操作をユーザーが行わなくても、表示装置と第１の端末装置とが再び無線接続される。
【０００９】
前記第１の通信回線と前記第２の通信回線は、無線接続するための接続情報がそれぞれ異なる同じ通信回線であることを特徴とする。この通信システムによれば、第２の端末装置が、第１の端末装置と同じ接続情報を用いて同じ通信回線により無線接続することが防止される。
【００１０】
別の好ましい態様において、前記表示装置は、プロジェクターであることを特徴とする。この通信システムによれば、第２の端末装置が、第１の通信回線により不正にプロジェクターに無線接続することが防止される。
【００１１】
また、本発明は、無線接続における通信回線を切り替えるための指示の入力を表示装置が受け付けるステップと、前記入力が受け付けられると、第１の通信回線により前記表示装置と無線接続された第１の端末装置に、前記第１の通信回線とは異なる第２の通信回線により無線接続するための第２接続情報を前記表示装置が送信するステップと、前記第２接続情報が送信されると、前記第１の端末装置との前記第１の通信回線による無線接続を前記表示装置が切断するステップと、前記第１の通信回線による無線接続が切断されると、前記第１の端末装置が、前記第２接続情報を用いて、前記第２の通信回線により前記表示装置と無線接続するステップと、第２の端末装置が、前記第２接続情報を用いて、前記第２の通信回線により前記表示装置と無線接続するステップとを有する通信方法を提供する。この通信方法によれば、第２の端末装置が、第１の通信回線により不正に無線接続することが防止される。
【００１２】
また、本発明は、無線接続における通信回線を切り替えるための指示の入力を受け付ける受付手段と、前記入力が受け付けられると、第１の通信回線により自装置と無線接続された第１の端末装置に、前記第１の通信回線とは異なる第２の通信回線により無線接続するための第２接続情報を送信する送信手段と、前記第２接続情報が送信されると、前記第１の端末装置との前記第１の通信回線による無線接続を切断する切断手段と、前記第１の通信回線による無線接続が切断されると、前記第２の通信回線により前記第１の端末装置および第２の端末装置と無線接続する接続手段とを有する表示装置を提供する。この表示装置によれば、第２の端末装置が、第１の通信回線により不正に無線接続することが防止される。
【図面の簡単な説明】
【００１３】
【図１】通信システムの全体構成を示す図。
【図２】通信システムの機能的構成を示すブロック図。
【図３】プロジェクターのハードウェア構成を示すブロック図。
【図４】タブレット端末のハードウェア構成を示すブロック図。
【図５】通信システムで行われる処理を示すシーケンスチャート。
【図６】無線接続の詳細を示すシーケンスチャート。
【図７】ステップＳ１０の処理が行われるときの通信システムを示す図。
【００１４】
１．構成
図１は、本発明の一実施形態に係る通信システムＣ１の全体構成を示す図である。通信システムＣ１は、表示装置としてのプロジェクター１、タブレット端末２、タブレット端末３、コントローラーＲ、およびスクリーンＳＣを有する。プロジェクター１は、映像ソースである電子機器から入力された映像信号により示される画像（以下、「入力画像」という）をスクリーンＳＣに投写する投写装置である。タブレット端末２（第１の端末装置の一例）およびタブレット端末３（第２の端末装置の一例）は、映像信号をプロジェクター１に出力する電子機器である。通信システムＣ１において、タブレット端末２およびタブレット端末３は、プロジェクター１と無線接続される。図１において、タブレット端末２は、無線ＬＡＮ（Local Area Network）のアクセスポイントＰを介してプロジェクター１と無線接続されている。プロジェクター１は、タブレット端末２から入力された入力画像をスクリーンＳＣに投写している。図１において、タブレット端末３は、プロジェクター１と未だ無線接続されていない。コントローラーＲは、赤外線通信等の無線でプロジェクター１を制御するための装置、いわゆるリモートコントローラーである。スクリーンＳＣは、プロジェクター１により投写される画像（以下、「投写画像」という）を映し出す面である。
【００１５】
プロジェクター１は、無線ＬＡＮのアクセスポイントの機能を内蔵している。そのため、タブレット端末２およびタブレット端末３は、アクセスポイントＰを介さずに、プロジェクター１と直接無線接続されることも可能である。以下では、通信システムＣ１において、アクセスポイントＰを通る通信回線を「第１通信回線」と表現し、アクセスポイントＰを通らない通信回線（すなわちプロジェクター１のアクセスポイントの機能を利用した通信回線）を「第２通信回線」と表現する。
【００１６】
図１において、タブレット端末２はユーザーＵａにより利用されており、タブレット端末３はユーザーＵｂにより利用されている。この例で、ユーザーＵａは、通信システムＣ１の無線接続を管理する権限（以下、「管理権限」という）を有するユーザーである。ユーザーＵｂは、管理権限を有しないユーザー（例えば、通信システムＣ１を一時的に利用するユーザー）である。
【００１７】
通信システムＣ１における無線接続は、ユーザーＵａおよびユーザーＵｂが、ＳＳＩＤ（Service Set Identifier）、伝送速度、および暗号鍵などの無線接続に関する情報（以下、「無線接続情報」という）をタブレット端末２およびタブレット端末３に入力することにより行われる。このような無線接続情報を入力する通信システムにおいては、過去にプロジェクターと無線接続したことがある電子機器には入力された無線接続情報が記憶されているため、当該電子機器が、管理権限を有するユーザーの意図しないタイミングで再びプロジェクターに無線接続する可能性がある。例えば、図１の通信システムＣ１において、ユーザーＵｂがプロジェクター１と一時的に無線接続した場合、ユーザーＵａの意図しないタイミングで、ユーザーＵｂがプロジェクター１に再び無線接続する可能性がある。通信システムＣ１は、管理権限を有しないユーザーの利用する電子機器が無線接続される場合と、当該電子機器が無線接続されない場合とで、無線接続に利用される通信回線を切り替えることにより、管理権限を有しないユーザーが不正に無線接続することを防止する。
【００１８】
図２は、通信システムＣ１の機能的構成を示すブロック図である。プロジェクター１は、通信手段１１と、投写手段１２とを有する。通信手段１１は、タブレット端末２およびタブレット端末３と通信する。通信手段１１は、受付手段１１１、送信手段１１２、切断手段１１３、および接続手段１１４を有する。受付手段１１１は、無線接続における通信回線を切り替えるための指示（以下、「切替指示」という）の入力を受け付ける。送信手段１１２は、切替指示の入力が受け付けられると、第１通信回線により自装置と無線接続されたタブレット端末２に第１通信回線とは異なる第２通信回線により無線接続するための情報（以下、「第２無線接続情報」という）を送信する。第２無線接続情報は、本発明における第２接続情報の一例である。切断手段１１３は、第２無線接続情報が送信されると、タブレット端末２との第１通信回線による無線接続を切断する。接続手段１１４は、第１通信回線または第２通信回線により外部装置と無線接続する。接続手段１１４は、第１通信回線による無線接続が切断されると、第２通信回線によりタブレット端末２およびタブレット端末３と無線接続する。投写手段１２（表示手段の一例）は、エンコードされた第２無線接続情報を示すコード画像をスクリーンＳＣに投写する。
【００１９】
タブレット端末２は、通信手段２１と、記憶手段２２とを有する。通信手段２１は、プロジェクター１と通信する。通信手段２１は、接続手段２１１を有する。接続手段２１１は、第１通信回線または第２通信回線によりプロジェクター１と無線接続する。接続手段２１１は、第１通信回線による無線接続が切断されると、プロジェクター１から取得された第２無線接続情報を用いて第２通信回線によりプロジェクター１と無線接続する。記憶手段２２は、第１通信回線によりプロジェクター１と無線接続するための情報（以下、「第１無線接続情報」という）を記憶する。第１無線接続情報は、本発明における第１接続情報の一例である。
【００２０】
タブレット端末３は、通信手段３１と、撮像手段３２と、デコード手段３３とを有する。通信手段３１は、プロジェクター１と通信する。通信手段３１は、接続手段３１１を有する。接続手段３１１は、第２無線接続情報を用いて、第２通信回線によりプロジェクター１と無線接続する。撮像手段３２は、コード画像が投写された投写面を撮像する。デコード手段３３は、撮像手段３２により撮像された撮像画像からコード画像を抜き出してデコードする。
【００２１】
図３は、プロジェクター１のハードウェア構成を示すブロック図である。プロジェクター１は、ＭＣＵ（Micro Control Unit）１００と、ＲＯＭ（Read Only Memory）１０１と、ＲＡＭ（Random Access Memory）１０２と、記憶部１０３と、ＩＦ（インターフェース）部１０４と、画像処理回路１０５と、投写ユニット１０６と、受光部１０７と、操作パネル１０８と、入力処理部１０９とを有する。ＭＣＵ１００は、プログラムを実行することによりプロジェクター１の各部を制御する制御装置である。ＲＯＭ１０１は、各種プログラムおよびデータを記憶した不揮発性の記憶装置である。ＲＯＭ１０１は、ＭＣＵ１００が実行するプログラムを記憶する。ＲＡＭ１０２は、データを記憶する揮発性の記憶装置である。ＲＡＭ１０２は、入力画像をフレーム毎に記憶するフレームメモリーを有する。記憶部１０３は、データおよびプログラムを記憶する記憶装置である。
【００２２】
ＩＦ部１０４は、タブレット端末２およびタブレット端末３などの外部装置と通信を行う。ＩＦ部１０４は、外部装置と接続するための各種端子（例えば、ＶＧＡ端子、ＵＳＢ端子、有線ＬＡＮインターフェース、Ｓ端子、ＲＣＡ端子、ＨＤＭＩ（High-Definition Multimedia Interface：登録商標）端子など）および無線ＬＡＮインターフェースを備える。プロジェクター１のアクセスポイント機能は、この無線ＬＡＮインターフェースをＭＣＵ１００が制御することにより実現している。本実施形態において、ＩＦ部１０４は、無線ＬＡＮインターフェースを介してタブレット端末２およびタブレット端末３と通信を行う。画像処理回路１０５は、入力画像に所定の画像処理を施す。画像処理回路１０５は、画像処理後の入力画像をフレームメモリーに書き込む。
【００２３】
投写ユニット１０６は、光源１１６と、液晶パネル１２６と、光学系１３６と、光源駆動回路１４６と、パネル駆動回路１５６と、光学系駆動回路１６６とを有する。光源１１６は、高圧水銀ランプ、ハロゲンランプ、若しくはメタルハライドランプなどのランプ、またはＬＥＤ（Light Emitting Diode）若しくはレーザーダイオードなどの固体光源を有し、液晶パネル１２６に光を照射する。液晶パネル１２６は、光源１１６から照射された光を画像データに応じて変調する光変調器である。この例で、液晶パネル１２６は透過型の液晶パネルであり、各画素の透過率が画像データに応じて制御される。プロジェクター１は、ＲＧＢの三原色に対応した３枚の液晶パネル１２６を有する。光源１１６からの光はＲＧＢの３色の色光に分離され、各色光は対応する液晶パネル１２６に入射する。各液晶パネルを通過して変調された色光はクロスダイクロイックプリズム等によって合成され、光学系１３６に射出される。光学系１３６は、液晶パネル１２６により画像光へと変調された光を拡大してスクリーンＳＣに投写するレンズと、投写する画像の拡大・縮小および焦点の調整を行うズームレンズとを有する。光源駆動回路１４６は、ＭＣＵ１００の制御に従って光源１１６を駆動する。パネル駆動回路１５６は、画像処理回路１０５から出力された画像データに応じて液晶パネル１２６を駆動する。光学系駆動回路１６６は、ＭＣＵ１００の制御に従って光学系１３６を駆動し、ズームの度合いの調整およびフォーカスの調整を行う。
【００２４】
受光部１０７は、コントローラーＲから送信される赤外線信号を受光し、受光した赤外線信号をデコードして入力処理部１０９に出力する。操作パネル１０８は、プロジェクター１の電源のオン／オフまたは各種操作を行うためのボタンおよびスイッチを有する。入力処理部１０９は、コントローラーＲおよび操作パネル１０８による操作内容を示す情報を生成し、ＭＣＵ１００に出力する。
【００２５】
プロジェクター１において、プログラムを実行しているＭＣＵ１００により制御されたＩＦ部１０４は、通信手段１１の一例である。プログラムを実行しているＭＣＵ１００により制御された投写ユニット１０６は、投写手段１２の一例である。
【００２６】
図４は、タブレット端末２のハードウェア構成を示すブロック図である。タブレット端末２は、ＣＰＵ（Central Processing Unit）２００と、ＲＯＭ２０１と、ＲＡＭ２０２と、ＩＦ部２０３と、タッチパネル２０４と、撮像部２０５と、記憶部２０６とを有する。ＣＰＵ２００は、プログラムを実行することによりタブレット端末２の各部を制御する制御装置である。ＲＯＭ２０１は、各種のプログラムおよびデータを記憶した不揮発性の記憶装置である。ＲＡＭ２０２は、データを記憶する揮発性の記憶装置である。ＩＦ部２０３は、プロジェクター１などの外部装置と通信を行う。ＩＦ部２０３は、プロジェクター１と無線接続するための無線ＬＡＮインターフェースを備える。タッチパネル２０４は、液晶ディスプレイなどの表示面上に座標を感知するパネルが重ねて設けられた入力装置である。タッチパネル２０４には、例えば、光学式、抵抗膜方式、静電容量式、または超音波式のタッチパネルが用いられる。撮像部２０５は、被写体を撮像し、画像データを生成するデジタルカメラであり、レンズ、ＣＣＤ(Charge Coupled Device)イメージセンサー、および信号処理回路（いずれも図示せず）を有する。記憶部２０６は、データおよびプログラムを記憶する記憶装置である。タブレット端末３は、タブレット端末２と同様のハードウェア構成を有する。
【００２７】
タブレット端末２において、プログラムを実行しているＣＰＵ２００により制御されたＩＦ部２０３は、通信手段２１の一例である。ＲＡＭ１０２は、記憶手段２２の一例である。タブレット端末３において、プログラムを実行しているＣＰＵ３００により制御されたＩＦ部３０３は、通信手段３１の一例である。プログラムを実行しているＣＰＵ３００により制御された撮像部３０５は、撮像手段３２の一例である。プログラムを実行しているＣＰＵ３００は、デコード手段３３の一例である。
【００２８】
２．動作
図５は、通信システムＣ１において行われる処理を示すシーケンスチャートである。図５は、タブレット端末２とプロジェクター１とが第１通信回線により予め無線接続された状態で、新たにタブレット端末３とプロジェクター１とを無線接続する際の処理を示している。なお、タブレット端末２およびタブレット端末３には、プロジェクター１と無線接続して映像ソースとして動作するためのソフトウェア（以下、「無線接続用ソフトウェア」という）が予めインストールされており、タブレット端末２においては無線接続用ソフトウェアが実行されている。
【００２９】
ステップＳ１において、タブレット端末２のＣＰＵ２００は、切替指示の入力を受け付ける。切替指示は、例えば、ユーザーＵａがタッチパネル２０４を操作することにより入力される。ステップＳ２において、ＣＰＵ２００は、無線接続における通信回線を切り替えさせるための命令（以下、「切替命令」という）をプロジェクター１に送信する。ステップＳ３において、タブレット端末２のＣＰＵ２００は、第１無線接続情報に、前回用いられた無線接続情報であることを識別するための情報（以下、「識別情報」という）を付加する。なお、第１無線接続情報は、タブレット端末２とプロジェクター１とが第１通信回線により無線接続された際にＲＡＭ１０２に記憶されている。また、第１無線接続情報は、プロジェクター１の記憶部１０３に記憶されている。第１無線接続情報は、第１通信回線のＳＳＩＤ（以下、「第１ＳＳＩＤ」という）と、第１通信回線による無線接続に用いられる暗号鍵（以下、「第１暗号鍵」という）とを含む。第１暗号鍵は、所定の文字列を示すキーである。
【００３０】
ステップＳ４において、プロジェクター１のＭＣＵ１００は、第２無線接続情報を生成する。具体的には、ＭＣＵ１００は、所定のアルゴリズムにより乱数を生成し、生成された乱数を第２通信回線の固定文字列に付加する。なお、第２通信回線の固定文字列は、予め記憶部１０３に記憶されている。乱数が付加された固定文字列は、第２通信回線のＳＳＩＤ（以下、「第２ＳＳＩＤ」という）を示す。ＭＣＵ１００は、また、第２通信回線による無線接続に用いられる暗号鍵（以下、「第２暗号鍵」という）を所定のアルゴリズムにより生成する。第２暗号鍵は、いわゆるワンタイムキーであり、生成される度に異なる文字列を示すキーである。ＭＣＵ１００は、第２ＳＳＩＤおよび第２暗号鍵をＲＡＭ１０２に記憶する。
【００３１】
ステップＳ５において、ＭＣＵ１００は、第２無線接続情報をタブレット端末２に送信する。第２無線接続情報には、第２ＳＳＩＤおよび第２暗号鍵が含まれる。タブレット端末２のＣＰＵ２００は、プロジェクター１から取得した第２無線接続情報をＲＡＭ２０２に記憶する。ステップＳ６において、ＭＣＵ１００は、タブレット端末２との第１通信回線による無線接続を切断する。ステップＳ７において、タブレット端末２のＣＰＵ２００は、第２通信回線によりプロジェクター１と無線接続する。具体的には、ＣＰＵ２００は、ＲＡＭ２０２に記憶された第２無線接続情報を用いてプロジェクター１と無線接続する。
【００３２】
図６は、ステップＳ７における無線接続の詳細を示すシーケンスチャートである。第１通信回線による無線接続が切断されると、タブレット端末２のＣＰＵ２００は、第２無線接続情報（具体的には第２ＳＳＩＤ）により識別されるアクセスポイント（プロジェクター１）に対して、第２ＳＳＩＤを確認させるための要求（プローブ要求）を送信する。プローブ要求は、第２ＳＳＩＤを含む。プロジェクター１のＭＣＵ１００は、プローブ要求を受信すると、プローブ要求に含まれるＳＳＩＤとＲＡＭ１０２に記憶された第２ＳＳＩＤとが一致するか否かを判定する。ＭＣＵ１００は、第２ＳＳＩＤが一致する場合には、プローブ要求に対する応答（プローブ応答）をタブレット端末２に送信する。
【００３３】
ＣＰＵ２００は、プローブ応答を受信すると、プロジェクター１に無線接続の認証をさせるための要求（認証要求）をプロジェクター１に送信する。認証要求は、第２暗号鍵を含む。ＣＰＵ２００は、ＲＡＭ２０２から第２暗号鍵を読み出して認証要求を送信する。ＭＣＵ１００は、認証要求を受信すると、認証要求に含まれる暗号鍵とＲＡＭ１０２に記憶された第２暗号鍵とが一致するか否かを判定する。ＭＣＵ１００は、暗号鍵が一致する場合には、無線接続の認証をしたことを示す応答（認証応答）をタブレット端末２に送信する。暗号鍵が一致しない場合には、ＭＣＵ１００は、認証応答を送信しない。この場合、プロジェクター１とタブレット端末２との無線接続は行われない。
【００３４】
ＣＰＵ２００は、認証応答を受信すると、無線接続を開始するための要求（アソシエーション要求）をプロジェクター１に送信する。ＭＣＵ１００は、アソシエーション要求を受信すると、無線接続を許可する応答（アソシエーション応答）をプロジェクター１に送信する。アソシエーション応答が送信されると、プロジェクター１とタブレット端末２との第２通信回線による無線接続が開始される。
【００３５】
再び図５を参照する。ステップＳ８において、プロジェクター１のＭＣＵ１００は、第２無線接続情報を所定のアルゴリズムでエンコードすることによりＱＲコード（コード画像の一例）を生成する。ステップＳ９において、ＭＣＵ１００は、生成されたＱＲコードを投写する。
【００３６】
ステップＳ１０において、タブレット端末３のＣＰＵ３００は、ＱＲコードが投写された投写面を撮像する。ＱＲコードの撮像は、例えば、ユーザーＵｂが、タブレット端末３のタッチパネル３０４を操作して無線接続用ソフトウェアを起動した上で、ＱＲコードを読み取る（撮像してデコードする）ための指示を入力することにより行われる。ユーザーＵｂは、スクリーンＳＣに投写されたＱＲコードが撮像部３０５により撮像されるように、タブレット端末３を構える。ＣＰＵ３００は、撮像画像を示す画像データをＲＡＭ３０２に記憶する。
【００３７】
図７は、ステップＳ１０の処理が行われるときの通信システムＣ１を示す図である。図７において、タブレット端末２は、第２通信回線によりプロジェクター１と無線接続されている。プロジェクター１は、第２無線接続情報を示すＱＲコードＤ２をスクリーンＳＣに投写している。ユーザーＵｂは、タブレット端末３を操作してＱＲコードＤ２を撮像する。
【００３８】
再び図５を参照する。ステップＳ１１において、タブレット端末３のＣＰＵ３００は、ＲＡＭ３０２に記憶された撮像画像からＱＲコードを抜き出して所定のアルゴリズムでデコードする。このアルゴリズムは、ステップＳ８で用いられたアルゴリズムと共通のものである。ＣＰＵ３００は、デコードされた第２無線接続情報をＲＡＭ３０２に記憶する。ステップＳ１２において、ＣＰＵ３００は、第２通信回線によりプロジェクター１と無線接続する。具体的には、ＣＰＵ３００は、ＲＡＭ３０２に記憶された第２無線接続情報を用いて、図６に示した処理と同様の処理によりプロジェクター１と無線接続する。ステップＳ１からステップＳ１２までの処理が行われると、タブレット端末２およびタブレット端末３は、いずれも第２通信回線によりプロジェクター１と無線接続される。タブレット端末３は、無線接続された状態で映像ソースとして動作する。
【００３９】
ステップＳ１３において、タブレット端末２のＣＰＵ２００は、再び切替指示の入力を受け付ける。ユーザーＵａは、例えば、ユーザーＵｂがプロジェクター１を利用し終えたタイミングで切替指示を入力する。ステップＳ１４において、ＣＰＵ２００は、切替命令をプロジェクター１に送信する。ステップＳ１５において、プロジェクター１のＭＣＵ１００は、タブレット端末２およびタブレット端末３との第２通信回線による無線接続を切断する。ステップＳ１６において、タブレット端末２のＣＰＵ２００は、第１通信回線によりプロジェクター１と無線接続する。具体的には、ＣＰＵ２００は、識別情報が付加された無線接続情報（第１無線接続情報）をＲＡＭ１０２から読み出して、当該無線接続情報を用いてプロジェクター１と無線接続する。ＣＰＵ２００は、図６に示した処理と同様の処理によりプロジェクター１と無線接続する。なお、第１ＳＳＩＤには、乱数は付加されていない。そのため、プロジェクター１のＭＣＵ１００は、乱数が一致するか否かを判定せずに、プローブ要求に含まれるＳＳＩＤと記憶部１０３に記憶された第１ＳＳＩＤとが一致する場合には、プローブ応答をタブレット端末２に送信する。
【００４０】
以上の処理により、タブレット端末３は第２通信回線によってプロジェクター１と無線接続するため、第１無線接続情報はタブレット端末３に記憶されない。したがって、管理権限を有しないユーザーが第１通信回線により不正に無線接続することが防止される。また、第２通信回線による無線接続に用いられる第２無線接続情報には、第２ＳＳＩＤと第２暗号鍵が含まれている。第２ＳＳＩＤと第２暗号鍵は、プロジェクター１において、切替命令が取得される度に異なる。したがって、第２通信回線によってプロジェクター１と無線接続したことのあるタブレット端末に第２ＳＳＩＤと第２暗号鍵が記憶される場合であっても、管理権限を有しないユーザーが、記憶された情報を用いて第２通信回線により不正に無線接続することも防止される。特に第１通信回線が、他の機器が接続している社内ＬＡＮなどの場合、一時的にせよ、タブレット端末３などの第３者の端末が接続することは情報漏洩などのリスクがある。上述の処理によれば、プロジェクター１と第３者の端末とは第２通信回線によって無線接続されるため、情報漏洩などのリスクを回避することができる。
【００４１】
＜変形例＞
本発明は、上述の実施形態に限定されるものではなく、種々の変形実施が可能である。以下、変形例をいくつか説明する。以下で説明する変形例のうち、２つ以上のものが組み合わされて用いられてもよい。
【００４２】
（１）変形例１
切替指示は、タブレット端末２を操作することにより入力される場合に限らない。切替指示は、例えば、コントローラーＲまたはプロジェクター１の操作パネル１０８を操作することにより入力されてもよい。
【００４３】
（２）変形例２
ステップＳ４において生成される第２暗号鍵は、ワンタイムキーでなくてもよい。第２暗号鍵は、例えば、無線接続のための認証に用いられた回数が所定の閾値を超える度に異なる文字列に変更されてもよい。別の例で、第２暗号鍵は、所定の時間が経過する度に異なる文字列に変更されてもよい。さらに別の例で、第２暗号鍵は、所定の文字列を示すキーであってもよい。
【００４４】
（３）変形例３
第２暗号鍵は、プロジェクター１により生成されたキーでなくてもよい。第２暗号鍵は、例えば、ユーザーＵａがタブレット端末２、コントローラーＲ、または操作パネル１０８を操作することにより入力された任意の文字列を示すキーであってもよい。別の例で、第２暗号鍵は、タブレット端末２により生成されてもよい。この場合、タブレット端末２は、所定のアルゴリズムにより第２暗号鍵を生成し、プロジェクター１に送信する。
【００４５】
（４）変形例４
第２ＳＳＩＤは、乱数が付加された固定文字列に限らない。固定文字列が第２ＳＳＩＤであってもよい。この場合、ステップＳ７およびステップＳ１２の無線接続において、プロジェクター１のＭＣＵ１００は、乱数が一致するか否かを判定することなく、プローブ要求に含まれるＳＳＩＤとＲＡＭ１０２に記憶された第２ＳＳＩＤとが一致する場合には、プローブ応答をタブレット端末２およびタブレット端末３に送信する。
【００４６】
（５）変形例５
タブレット端末３が第２無線接続情報を取得する方法は、スクリーンＳＣに投写されたＱＲコードを撮像する方法に限らない。例えば、タブレット端末２が第２無線接続情報を示すＱＲコードを生成してタッチパネル２０４に表示し、タブレット端末３が当該ＱＲコードを読み取ることにより第２無線接続情報を取得してもよい。別の例で、タブレット端末２とタブレット端末３との間の無線通信を介して、タブレット端末２からタブレット端末３へ第２無線接続情報が送信されてもよい。さらに別の例で、プロジェクター１が第２無線接続情報を示す文字列をスクリーンＳＣに投写し、ユーザーＵｂがこれを確認して第２無線接続情報をタブレット端末３に手入力してもよい。
【００４７】
（６）変形例６
第２通信回線から第１通信回線への切り替えは、プロジェクター１に切替命令が入力されたことを契機として行われる場合に限らない。例えば、プロジェクター１とタブレット端末３との無線接続が切断されたことを契機として、プロジェクター１とタブレット端末２との無線接続が第２通信回線から第１通信回線に切り替えられてもよい。
【００４８】
（７）変形例７
無線接続情報に含まれる情報は、ＳＳＩＤ、伝送速度、および暗号鍵に限らない。無線接続情報は、ＳＳＩＤなどに加えて、例えば、セキュリティ方式またはＱｏＳ（Quality of Service）機能などの通信に関する各種パラメーターを含んでもよい。
【００４９】
（８）変形例８
コード画像は、ＱＲコードに限らない。コード画像は、エンコードされた無線接続情報を示す画像であれば、例えば、ＰＤＦ４１７、ＣＰ(Communication Platform)コード、ＨＣＣＢ(High Capacity Color Barcode)などの他の二次元コードであってもよい。また、コード画像は、一次元コードであってもよい。
【００５０】
（９）変形例９
第１通信回線および第２通信回線は、実施形態に記載された通信回線に限らない。例えば、アクセスポイントＰを通らない通信回線が第１通信回線であり、且つ、アクセスポイントＰを通る通信回線が第２通信回線であってもよい。別の例で、第１通信回線および第２通信回線がともに、プロジェクター１が内蔵しているアクセスポイントの機能を利用した通信回線であってもよい。この場合、第１通信回線と第２通信回線は同じ通信回線ハードウェアを使用するのであるが、無線接続情報は異なっている。さらに別の例で、通信システムＣ１がアクセスポイントＰに加えて他のアクセスポイントをプロジェクター１の外部に有しており、当該他のアクセスポイントを通る通信回線が第２通信回線であってもよい。また、通信システムＣ１における無線接続に利用される通信回線は２つに限らない。３つ以上の通信回線が無線接続に利用されてもよい。
【００５１】
（１０）変形例１０
通信システムＣ１において、プロジェクター１がタブレット端末２およびタブレット端末３に対する映像ソースとして動作してもよい。この場合、タブレット端末２およびタブレット端末３は、プロジェクター１から入力された映像信号により示される入力画像をタッチパネル２０４およびタッチパネル３０４に表示する。
【００５２】
（１１）変形例１１
通信システムＣ１で用いられる各装置のハードウェア構成は、図３および図４に示した構成に限らない。図５および図６に示した処理が実行されれば、各装置はどのようなハードウェア構成を有していてもよい。例えば、液晶パネル１２６は、反射型の液晶パネルであってもよい。また、液晶パネル１２６に代えて、有機ＥＬ（ElectroLuminescence）素子、デジタルミラーデバイス（ＤＭＤ）等の電気光学素子が用いられてもよい。また、液晶パネル１２６は色成分毎に設けられていなくてもよく、プロジェクター１は単一の液晶パネル１２６を有していてもよい。この場合、各色成分の画像は時分割で表示されてもよい。また、プロジェクター１は、アクセスポイントの機能を内蔵していなくてもよい。この場合、通信システムＣ１には、アクセスポイントＰに加えて他のアクセスポイントがプロジェクター１の外部に設けられていてもよい。また、プロジェクターの代わりに、液晶ディスプレイ（ＬＣＤ）、有機ＥＬディスプレイ、プラズマディスプレイなどの直視の表示装置を採用してもかまわない。
【００５３】
（１２）変形例１２
通信システムＣ１においては、３台以上の端末装置がプロジェクター１と無線接続されてもよい。また、端末装置は、タブレット端末に限らない。端末装置は、プロジェクター１と無線接続できる電子機器であれば、パーソナルコンピューター、スマートフォン、携帯電話機、デジタルカメラ、ゲーム機などでもよい。
【符号の説明】
【００５４】
１…プロジェクター、１１…通信手段、１１１…受付手段、１１２…送信手段、１１３…切断手段、１１４…接続手段、１２…投写手段、１００…ＭＣＵ、１０１…ＲＯＭ、１０２…ＲＡＭ、１０３…記憶部、１０４…ＩＦ部、１０５…画像処理回路、１０６…投写ユニット、１１６…光源、１２６…液晶パネル、１３６…光学系、１４６…光源駆動回路、１５６…パネル駆動回路、１６６…光学系駆動回路、１０７…受光部、１０８…操作パネル、１０９…入力処理部、２…タブレット端末、２１…通信手段、２１１…接続手段、２２…記憶手段、３…タブレット端末、３１…通信手段、３１１…接続手段、３２…撮像手段、３３…デコード手段、２００，３００…ＣＰＵ、２０１，３０１…ＲＯＭ、２０２，３０２…ＲＡＭ、２０３，３０３…ＩＦ部、２０４，３０４…タッチパネル、２０５，３０５…撮像部、２０６，３０６…記憶部
【図１】
2015179935.tif 000003
【図２】
2015179935.tif 000004
【図３】
2015179935.tif 000005
【図４】
2015179935.tif 000006
【図５】
2015179935.tif 000007
【図６】
2015179935.tif 000008
【図７】
2015179935.tif 000009